(57)【要約】      （修正有）【課題】表示板用取付具の上側アームが風により取付対象から外れることを確実に防止し、下側アームが取付対象から外れることを確実に防止し、より一層十分な安全性を確保した表示板用取付具を提供する。【解決手段】筒状をなす上部１１と雄螺子を周囲に螺刻した下部１２とからなる脚部１０であって取付対象の側方に配置されて上下方向に延びる脚部１０と、前記脚部１０の上端部に設けられ、表示板を支持する支持部５２と、前記脚部１０の上部に装着される移動規制手段３０と、前記移動規制手段３０に配置され、前記取付対象の上端に上方から係合自在な上側アーム２０と、前記移動規制手段３０より下方において前記脚部１０の下部及び上部に挿着され、前記脚部１０に沿って上下方向に移動自在で、前記取付対象の下端に下方から係合し、前記上側アーム２０との間で前記取付対象を上下方向から挾持する下側アーム５４とを具備することを特徴とする。【選択図】図１
2010285778.tif 000002
【特許請求の範囲】
【請求項１】
筒状をなす上部と雄螺子を周囲に螺刻した下部とからなる脚部であって取付対象の側方に配置されて上下方向に延びる脚部と、前記脚部の上端部に設けられ、表示板を支持する支持部と、前記脚部の上部に対し、前記取付対象へ接近する方向及び前記取付対象から離間する方向への移動を拘束し、上下移動を移動自在及び拘束自在とした移動規制手段と、前記移動規制手段に配置され、前記取付対象の上端に上方から係合自在な上側アームと、前記移動規制手段より下方において前記脚部の下部及び上部に挿着され、前記脚部に沿って上下方向に移動自在で、前記取付対象の下端に下方から係合し、前記上側アームとの間で前記取付対象を上下方向から挾持する下側アームとを具備することを特徴とする表示板用取付具。
【請求項２】
前記下側アームは、脚部の下部及び上部に挿着され、前記脚部に沿って上下方向に移動自在な摺動手段を有しており、当該摺動手段は前記脚部の上部の外側に挿着される筒状部分を備えていることを特徴とする表示板用取付具。
【発明の詳細な説明】
【技術分野】
【０００１】
本発明は表示板用取付具に関するものであり、特に、道路表示等として仮設される工事用看板等の表示板をガードレールまたはガードバー等の取付対象に取付けて掲示し、表示板が風等により取付対象から離脱することを防止する表示板用取付具に関するものである。
【背景技術】
【０００２】
この種の表示板用取付具は、上下方向に延びる脚部を上側アームと下側アームとによってガードレールまたはガードバー等の取付対象の一側方に取付け、脚部の上端部に設けた支持部に表示板を取付けて形成されている。
【０００３】
本出願人は、この種の表示板用取付具の上側アームが風により取付対象から外れることを確実に防止し、十分な安全性を確保した表示板用取付具を提案した（例えば、特許文献１参照）。
【先行技術文献】
【特許文献】
【０００４】
【特許文献１】特許第３０７１９８０号公報
【発明の概要】
【発明が解決しようとする課題】
【０００５】
本発明は、前記特許文献１に記載されている発明を更に改良して、下側アームが取付対象から外れることを確実に防止し、より一層十分な安全性を確保した表示板用取付具を提供することを目的とする。
【課題を解決するための手段】
【０００６】
前記の課題を解決するために、本発明にかかる表示板用取付具は、筒状をなす上部と雄螺子を周囲に螺刻した下部とからなる脚部であって取付対象の側方に配置されて上下方向に延びる脚部と、前記脚部の上端部に設けられ、表示板を支持する支持部と、前記脚部の上部に対し、前記取付対象へ接近する方向及び前記取付対象から離間する方向への移動を拘束し、上下移動を移動自在及び拘束自在とした移動規制手段と、前記移動規制手段に配置され、前記取付対象の上端に上方から係合自在な上側アームと、前記移動規制手段より下方において前記脚部の下部及び上部に挿着され、前記脚部に沿って上下方向に移動自在で、前記取付対象の下端に下方から係合し、前記上側アームとの間で前記取付対象を上下方向から挾持する下側アームとを具備することを特徴とする。
【０００７】
これにより、本発明においては、表示板を支持部に支持するとともに、上側アーム及び下側アームにより取付対象の上下両端を係合して挾持することにより、表示板用取付具を介して表示板が取付対象の所望位置に掲示される。そして、風が吹いて、表示板を、その厚さ方向のみならず幅方向に付勢した場合、移動規制手段が、上側アームを脚部に対し、取付対象へ接近する方向及び取付対象から離間する方向への移動不能に固定するとともに、上側アームの上下移動を拘束する。更に、下側アームが脚部の下部及び上部に挿着されているために、下側アームが取付対象から外れることも確実に防止され、表示板を常にと適正位置に支持することができる。
【０００８】
また、前記下側アームが、脚部の下部及び上部に挿着され、前記脚部に沿って上下方向に移動自在な摺動手段を有しており、当該摺動手段は前記脚部の上部の外側に挿着される筒状部分を備えていることを特徴とする。
【０００９】
これにより、摺動手段の筒状部分が脚部の筒状に形成されている上部の外側に挿着されるので、下側アームが取付対象から外れることが確実に防止される。
【発明の効果】
【００１０】
以上のように、本発明の表示板用取付具は、表示板用取付具の上側アームが風により取付対象から外れることを確実に防止し、下側アームが取付対象から外れることを確実に防止し、より一層十分な安全性を確保した表示板用取付具を得ることができる。
【図面の簡単な説明】
【００１１】
【図１】本発明の表示板用取付具の一実施形態を示す正面図
【図２】図１に示す上側アーム部の取付手段を拡大して示す正面図
【図３】図１に示す表示板用取付具の取付図１に示す状態を示す斜視図
【図４】図１に示す下側アーム部の取付手段を拡大して示す斜視図
【図５】本発明の取付手段の他の実施形態を示す図２と同様の図
【発明を実施するための形態】
【００１２】
以下、本発明の実施の形態について、図１から図５により詳細に説明する。
【００１３】
図１から図４は本発明の表示板用取付具の１実施形態を示す。
【００１４】
本実施形態の表示板用取付具は、図１および図３に示すように、脚部１０、支持部５２、移動規制手段３０、上側アーム２０及び下側アーム５４を備える。
【００１５】
更に説明すると、脚部１０は、ガードレールまたはガードバー等の取付対象Ｇの一側方に上下方向に延びるよう配置されるものであり、四角筒状をなす上部１１と雄螺子を周囲に螺刻した下部１２とからなる。この脚部１０の上部１１の正面及び背面には、上下方向の所定間隔毎に複数の位置決孔１１ａが穿設されている（図２参照）。
【００１６】
前記支持部５２は、脚部１０の上部１１の上端に直交して設けられるとともに、工事用表示板等の表示板Ｓの下端をボルト及びナット等の締結具（図示略）により締結支持自在となっている。また、支持部５２は、その中央をボルト及びナット等の締結具Ｂにより脚部１０の上部１１の上端に枢着され、脚部１０の周方向に回動して、表示板Ｓの掲示方向を３６０度変更自在となっている。なお、支持部５２は、脚部１０の上部１１に回動不能に固着することもできる。この場合には、例えば、支持部５２を取付対象Ｇと略直行する方向に延びるよう脚部１０の上部１１の上端に固定するとよい。
【００１７】
前記上側アーム２０は、図２に示すように、脚部１０の上部１１の所定高さ位置に配置されるものであり、移動規制手段３０の取付部２１の一側面上部にブラケット２２を固着するとともに、ブラケット２２の先端に下方に開放する略Ｖ字板状の係合部２３を固着している。係合部２３の内面にはゴム等の弾性材からなるクッション材２５が貼着されている。また、上側アーム２０は、係合部２３を取付対象Ｇの上端に上方から係合自在としている。
【００１８】
本実施例の移動規制手段３０は、図２において、左側壁全体及び右側壁下部を切り欠き、右側壁上部により前側壁（図中正面側）及び後側壁（図中背面側）を連結した略チャンネル板状をなし、その右側壁、前側壁及び後側壁を脚部１０の上部１１に密接して外嵌自在とされている取付部２１と、前記取付部２１の一側面上部にブラケット２２の位置を選択すべく、取付部２１の右側壁上部内面の脚部１０の位置決孔１１ａと整合可能な位置決ピン２４と、上側アーム２０の取付部２１の上端の全周に嵌込まれ、その外形に対応する内径の略四角ドーナツ板状の金属板等からなり、図中正面の左右方向の移動を拘束する上部連結部材３１と、取付部２１の下端の正面から左側面及び背面にかけて機械的に連結及び補強する金属板等からなる下部連結部材３２とを具備している。
【００１９】
なお、上部連結部材３１は、取付部２１の外周に装着された状態で、取付部２１の外周面との摩擦力により、容易には離脱しないようにされるとともに、所定の上方への押圧力により、取付部２１から離脱自在とされている。また、金属板等からなる下部連結部材３２は、上側アーム２０の取付部２１の下端における正面から左側面及び背面にかけて巻き回されて、取付部２１の左側面の切り欠き下端を機械的に連結及び補強している。
【００２０】
そして、前記取付部２１は、下部連結部材３２を支点として、右方へ傾動して脚部１０の上部１１から離間自在であり、かつ、左方へ傾動して上部１１に密接外嵌自在であり、取付部２１を上部１１から離間した状態で、所望の高さ位置に位置決めし、左方へ移動して位置決ピン２４を上部１１の位置決孔１１ａに挿着することにより、上側アーム２０の脚部１０の上下方向への移動が規制され、上側アーム２０を取付部２１を介して脚部１０の上部１１の所定高さ位置に配置自在となっている。更に、前記上部連結部材３１を取付部２１の切り欠き上端に外嵌挿着することにより、上部連結部３１及び下部連結部３２が協働して、取付部２１が上部１１を右方に移動するのを規制するとともに、取付部２１自体の右側壁上部により取付部２１が上部１１を左方へ移動するのを拘束するとともに、上側アーム２０の上下移動を拘束するようになっている。
【００２１】
即ち、上部連結部３１及び下部連結部３２並びに取付部２１の右側壁上部及び位置決ピン２４は、上側アーム２０を脚部１０に対し、取付対象Ｇへ接近する方向及び取付対象Ｇから離間する方向への移動不能に固定するとともに、上側アーム２０の上下移動を拘束する本実施例の移動規制手段３０を構成している。
【００２２】
前記下側アーム５４は、脚部１０の上部１１及び下部１２の外側に挿着される摺動手段５４ａの側面にブラケット５４ｂを固着し、ブラケット５４ｂの先端に上方に開放する略Ｖ字板状の係合部５４ｃを固着して形成されている。摺動手段５４ａは、脚部１０の雄螺子状に形成されている下部１２に外嵌される円筒状の下方摺動部５４ａａと、当該摺動部５４ａａから脚部１０の上部１１方向に延びて当該上部１１に外嵌される四角筒状の上方摺動部５４ａｂとによって形成されており、脚部１０の上部１１及び下部１２に沿って上下に摺動自在とされている。更に、本実施形態の上方摺動部５４ａｂは、左側壁全体を切り欠き、右側壁により前側壁（図中正面側）及び後側壁（図中背面側）を連結した略チャンネル板状をなし、その右側壁、前側壁及び後側壁を脚部１０の上部１１に密接して外嵌自在とされているチャンネル部４１と、チャンネル部４１の上端の正面から左側面及び背面にかけて機械的に連結及び補強する金属板等からなる上部連結部材４２とを具備している。この上部連結部材４２より下方側の上方摺動部５４ａｂの左側壁部分が開放されているために、内側の脚部１０の上部１１及び下部１２を外側から目視により確認でき、上部連結部材４２が脚部１０の上部１１に確実に挿着されていることを確認することができる。また、係合部５４ｃの内面にはゴム等の弾性材からなるクッション材５４ｄが貼着されている。
【００２３】
更に、摺動手段５４ａの下方摺動部５４ａａの下端側には、下部１２に螺合されて上下に移動し、摺動手段５４ａを上下に移動して位置決めするナット５４ｅ及びナット５４ｅの緩みを防止するロックナット５４ｆが配置されている。そして、下側アーム５４は、摺動手段５４ａ及びナット５４ｅを介して脚部１０の上部１１及び下部１２に沿って任意の高さ位置に移動配置自在とされている。更に、係合部５４ｃを取付対象Ｇの下端に下方から係合自在としている。これにより、上側アーム２０の係合部２３を取付対象Ｇの上端に係合した状態で、下側アーム５４を脚部１０の上部１１及び下部１２に沿って上方に移動し、係合部５４ｃを取付対象Ｇの下端に圧接係合することにより、前記上側アーム２０と下側アーム５４との間で取付対象Ｇを上下方向から挾持するようになっている。
【００２４】
次に、上記のように構成された本実施形態の表示板用取付具の動作を説明する。
【００２５】
本実施形態の表示板用取付具は、所望内容の表示板Ｓを掲示するために、ガードレール等の取付対象Ｇの所望位置に取付けられる。この場合、取付対象Ｇの幅に合わせて、取付部２１を上部１１から離間した状態で、所望の高さ位置に移動して、左方へ移動して位置決ピン２４を脚部１０の上部１１の所定高さ位置の位置決孔１１ａと整合させて挿着し、上側アーム２０を所望高さに位置決めする。更に、上部連結部材３１を取付部２１の切り欠き上端に外嵌挿着することにより、上部連結部３１及び下部連結部３２の協働により、取付部２１が上部１１から右方に移動するのが規制されるとともに、取付部２１自体の右側壁上部により取付部２１が上部１１から左方へ移動するのが拘束され、かつ、上側アーム２０の上下移動が拘束される。そして、上側アーム２０の係合部２３を取付対象Ｇの上端に係合した状態で、下側アーム５４のナット５４ｅを締上げて摺動手段５４ａを脚部１０の下部１２に沿って上方に移動させ、係合部５４ｃを取付対象Ｇの下端に圧接係合するとともに、ロックナット５４ｆを締上げてナット５４ｅの緩みを防止する。これにより、前記上側アーム２０と下側アーム５４との間で取付対象Ｇを上下方向から挾持して、表示板用取付具を取付対象Ｇの所望位置に固定する。そして、支持部５２に所望の内容を表示する表示板Ｓを締結具により締結固定することにより、表示板Ｓの掲示が完了する。
【００２６】
ここで、表示板用取付具により取付対象Ｇと略直行する方向Ｙに配置された表示板Ｓに強い風Ｗが当たると、従来例と同様、表示板Ｓに厚さ方向Ｘへの力が加わるとともに、表示板Ｓが風力により取付対象Ｇと交差する方向にしなり、表示板Ｓには取付対象Ｇと略直交する方向Ｙへの力が同時に加わり、表示板用取付具がその方向Ｙに繰返し揺動することがある。
【００２７】
このとき、本実施形態の表示板用取付具は、上側アーム２０が、移動規制手段３０の上部連結部材３１、下部連結部材３２及び自身の右側壁上部により、脚部１０の上部１１に対し、取付対象Ｇへ接近する方向及び取付対象Ｇから離間する方向への移動不能に固定されているため、表示板Ｓが取付対象Ｇと略直行する方向Ｙに繰返し揺動しても、上側アーム２０が、それに伴い取付対象Ｇの上端の厚さ方向に繰り返し揺動してがたつくことはない。また、位置決ピン２４により、上側アーム２０の上下動が拘束され、上側アーム２０が位置決めされた所定高さ位置から上下に位置ずれすることもない。なお、位置決ピン２４は、上部連結部材３１により取付部２１の右方への移動が拘束されるため、上部１１の位置決孔１１ａから離脱することはない。したがって、上側アーム２０が取付対象Ｇから外れて、表示板Ｓ及び表示板用取付具が取付対象Ｇから飛んでしまうという不具合もない。
【００２８】
更に、下側アーム５４を支承する摺動手段５４ａの上部摺動部５４ａｂが脚部１０の上部１１の外側に挿着されているために、下側アーム５４全体がブラケット５４ｂを中心として回動することが確実に阻止され、下側アーム５４の係合部５４ｃが取付対象Ｇより外れることが確実に防止される。これにより、表示板Ｓ及び表示板用取付具自体を取付対象Ｇに対して長期間に亘って安全に固着することができる。
【００２９】
なお、表示板Ｓを別の場所に取付ける場合は、上記とは逆の手順で、上部連結部材３１を上方に所定の押圧力で移動して、取付部２１の拘束を解除し、上側アーム２０を上下動して新たに位置決めする。そして、上記と同様の手順により、表示板用取付具を取付対象Ｇの所望位置に取付けて固定する。
【００３０】
このように、本実施形態の表示板用取付具は、脚部１０を取付対象Ｇの側方に上下方向に延びるよう配置し、前記脚部１０の上部１１の上端に表示板Ｓを支持自在な支持部５２を所定の回動位置に配置自在に枢着し、上側アーム２０を取付部２１を介して前記脚部１０の上部１１に外嵌装着して、位置決ピン２４により脚部１０の所定高さ位置に配置するとともに、係合部２３を前記取付対象Ｇの上端に上方から係合自在とし、下側アーム５４を、前記脚部１０の下部１２に螺合されるナット５４ｅにより、摺動手段５４ａを介して前記脚部１０の上部１１及び下部１２に沿って上下方向に移動配置自在とするとともに、係合部５４ｃを前記取付対象Ｇの下端に下方から係合自在として、前記脚部１０の上部１１及び下部１２に沿って上方に移動させることにより、前記上側アーム２０との間で前記取付対象Ｇを上下方向から挾持するようにし、更に、前記上側アーム２０を前記脚部１０に対し、前記取付対象Ｇへ接近する方向及び前記取付対象Ｇから離間する方向への移動及び上側アーム２０の上下移動を拘束する移動規制手段３０を、上側アーム２０の取付部２１の上端切り欠きに外嵌装着される略四角ドーナツ板状の金属板状をなす上部連結部材３１、下端に巻き回される金属板状の下部連結部材３２、取付部２１の右側壁上部及び位置決ピン２４により構成したものである。
【００３１】
したがって、本実施形態は、表示板Ｓを支持部５２に支持するとともに、上側アーム２０及び下側アーム５４により取付対象Ｇの上下両端を係合して挾持することにより、表示板用取付具を介して表示板Ｓが取付対象Ｇの所望位置に掲示される。そして、風Ｗが吹いて、表示板Ｓを、その厚さ方向Ｘのみならず幅方向Ｙに付勢した場合、移動規制手段３０としての上部連結部材３１、下部連結部材３２及び取付部２１の右側面上部が、上側アーム２０を脚部１０に対し、取付対象Ｇへ接近する方向及び取付対象Ｇから離間する方向への移動不能に固定して、がたつきを防止する。また、位置決ピン２４が、上側アーム２０の上下動を拘束して、上側アーム２０が位置決めされた所定高さ位置から上下に位置ずれすることを防止する。その結果、風Ｗが強い場合でも、上側アーム２０が揺動して取付対象Ｇから外れ、表示板用取付具及び表示板Ｓが風Ｗにより飛んでしまうといった不具合を確実に防止することができ、十分な安全性を確保できる。更に、下側アーム５４を支承する摺動手段５４ａの上部摺動部５４ａｂが脚部１０の上部１１の外側に挿着されているために、下側アーム５４全体がブラケット５４ｂを中心として回動することが確実に阻止され、下側アーム５４の係合部５４ｃが取付対象Ｇより外れることが確実に防止される。これにより、表示板Ｓ及び表示板用取付具自体を取付対象Ｇに対して長期間に亘って安全に固着することができる。
【００３２】
ところで、本実施形態の移動規制手段３０は、上部連結部材３１、下部連結部材３２、及び取付部２１、位置決ピン２４により構成されているが、本発明を実施する場合には、これに限定されるものではなく、少なくとも、上側アーム２０のがたつきによる脚部１０からの離脱を阻止すべく機能するものであればよく、例えば、上側アーム２０の取付部２１を脚部１０の上部１１に外嵌可能な四角筒状に形成し、その右側面及び左側面の全体により、取付部２１の左右方向へのがたつき乃至揺動を阻止するよう構成することができる。この場合には、位置決ピン２４は、取付部２１の外部から取付部２１または脚部１０に螺止するように構成することができる。
【００３３】
また、本実施形態の摺動手段５４ａは、下方摺動部材５４ａａ及び上方摺動部材５４ａｂにより構成されているが、本発明を実施する場合には、これに限定されるものではなく、少なくとも、脚部１０の下部１２及び上部１１の外側に共に挿着することができ、かつ、ナット５４ｅ及びロックナット５４ｆによる緊締が可能であるる形状であよく、例えば、下方摺動部材５４ａａ及び上方摺動部材５４ａｂを分けないで四角筒状の上部１１に外嵌される四角筒状とし、その下端部を下部１２が貫通する貫通孔を備えた底部として一体的に形成してもよい。
【００３４】
図５は本発明の他の実施形態の表示板用取付具の取付手段を拡大して示す正面図である。
【００３５】
本実施例においては、移動規制手段３０は四角筒状の取付部２１からなり、脚部１０には貫通孔１１ｂが穿設されている。取付部２１には、図示しない反対の面にナットが溶接されている。したがって、蝶螺子４０を脚部１０の貫通孔１１ｂに挿入して螺止すれば、上側アーム２０の取付位置が決定できる。
【００３６】
即ち、各実施例の表示板用取付具は、取付対象の側方で上下方向に延びる脚部１０と、前記脚部１０の上端部に設けられ、表示板Ｓを支持する支持部５２と、前記脚部１０に対し、前記取付対象Ｇへ接近する方向及び前記取付対象Ｇから離間する方向への移動及び上下移動を拘束自在とした移動規制手段３０と、前記移動規制手段３０に配置され、前記取付対象Ｇの上端に上方から係合自在な上側アーム２０と、前記脚部１０の下部に挿着され、前記脚部１０に沿って上下方向に移動自在で、前記取付対象Ｇの下端に下方から係合し、前記上側アーム２０との間で前記取付対象Ｇを上下方向から挾持する下側アーム５４とを具備するものである。
【００３７】
なお、上側アーム２０及び下側アーム５４の構成も、前記実施形態のものに限定されるものではなく、取付対象Ｇを上下から挾持して表示板用取付具を所定位置に固定できる限りにおいて、例えば、係合部２３または係合部５４ｃをＵ字板状とする等、他の構成としてもよい。
【００３８】
そして、前記実施形態の上側アーム２０は、位置決ピン２４により脚部１０の上部１１の所定高さ位置に位置決めして固定するようになっているが、これを、予め、取付対象Ｇの幅を考慮して、所定高さ位置に溶接等により固定しておくこともできる。この場合も、下側アーム５４の上下移動による高さ調節により、取付対象Ｇの幅の変化を吸収することができ、取付に支障を来たすことはない。この構成によれば、脚部１０の位置決孔１１ａ、上側アーム２０の挿通孔及び位置決ピン２４を省略することができ、全体の構成がより簡単になって、コスト低減を図ることができる。更に、上側アーム２０を位置決めして固定する位置決ピン２４は、取付部２１の脱落を防止できる限りにおいて、脚部１０の上部１１の前側壁または後側壁に、取付部２１の外部から挿着する構成として実施してもよい。この場合、脚部１０の上部１１の側壁に挿通孔を穿設する。また、位置決ピン２４をボルト及びナット等の締結具により構成して螺着するようにしてもよい。
【符号の説明】
【００３９】
１０  脚部
１１  上部
１２  下部
２０  上側アーム
２４  位置決めピン
３０  移動規制手段
３１  上部連結部材
３２  下部連結部材
５２  支持部
５４  下側アーム
５４ａ  摺動手段
５４ａａ  下方摺動部材
５４ａｂ  上方摺動部材
Ｇ  取付対象
Ｓ  表示板
【図１】
2010285778.tif 000003
【図２】
2010285778.tif 000004
【図３】
2010285778.tif 000005
【図４】
2010285778.tif 000006
【図５】
2010285778.tif 000007